(57)【要約】      （修正有）【課題】ペット、特に犬を家庭内で飼う場合の排泄物の処理の方法において、排泄物の取り換え交換と廃棄処理を効果的に処理できる構造を持った便器の提供。【解決手段】従来の便器はトイレマットなるものをセットし、排泄毎に交換していた。従来のマットを連続させてシート状とし、シート供給部分２とシート回収部分３とを設けたペット用便器を構成することによって、使用後にはシート回収部分３にその使用済み部分のマットを回収する。このことによって連続してマットを使用可能にでき、かつシート回収部分３とシート供給部分２とを一括して廃棄物処理ができることから、利便性が向上する。【選択図】図３
2016007211.tif 000002
【特許請求の範囲】
【請求項１】
ペット用トイレマットの送り出し部分、マットの展開部分、及び使用済みマットの回収、収納部分とから構成されることを特徴とするペット用便器。
【請求項２】
請求項１に記載したトイレマットとして、ロール状、あるいは折りたたみ形式で、使用部位が連続したものであることを特徴とするペット用便器。
【請求項３】
請求項２に記載したトイレマットのケースは、ダンボール、もしくは紙製であってカセット式とし、送り出し部分にセットしたものと回収する部分にセットしたカセットを同時に撤去、回収が可能であって、それは燃えるゴミとして処理できることを特徴とするペット用便器。
【請求項４】
請求項３に記載したトイレマットは、紙製を基本とするものであって、排泄された水分を吸収する性能を持つものであって、紙を多数枚重ねたものでも良いし、または水分を吸収する性能を持ったプラスチック粉末を内在させているものでもいいということを特徴とするペット用便器。
【請求項５】
請求項１に記載した使用済みマットの回収、収納部分については、手動、あるいはモーターなどを用いて排泄物および使用済みマットを回収できることを特徴とするペット用便器。
【発明の詳細な説明】
【技術分野】
【０００１】  ペット、特に犬用の便器であって、室内での排泄行為に際して効果的に処理可能な構造を持った便器の提供である。
【背景技術】
【０００２】  犬の場合、排泄する場所が濡れている場合には排泄したがらないという特性を持っている。しかしながら一方、自分の排泄物の臭いがしない場合にはそこで用を足しにくいという性質も併せ持っているようである。【０００３】  猫の場合には、排泄場所としては軟らかい土、あるいは砂地を好み、まず孔を掘るという動作を行う。従って家でトイレを用意するには容器に砂状のものを入れておけば事足りる。しかしながら犬ではそうした性質は見出せないようである。【０００４】  犬によっては、外に出ないと用をたさないとう性格の犬もいるらしいが、最近は部屋飼いの犬がおり、排泄物の処理が家人の一つの仕事になっている。そうした場合、トイレ用のマットが販売されており、その使用方法としては、容器内部にそのマットを敷くことによってここで排泄することを促す商品が売られている。この商品は、水吸収プラスチックを内在させたもので、言わば紙おむつを展開した形になっている。その使用方法は、排泄終了時にそのマットを取り出して廃棄し、新規マットを敷くということになる。
【発明の開示】
【発明が解決しようとする課題】
【０００５】  上記のように、排泄毎にマットを取り替えるとともに、廃棄物処理を行うという手間がかかり、簡便ではないという弱点を持っている。これを簡便にしかも効率よく実施できるようにすることによって利便性を高めようとするものである。
【課題を解決するための手段】
【０００６】  現在、マットは一枚ずつ切り離されており、使用済みマットは回収・廃棄するという形になっているが、これを数枚、例えば５枚、あるいは１０枚を一続きの連続したシート状として、使用済みの部分を順次交換するという機構に変えるものとする。【０００７】  この連続したシートは、保存ケース内に保管された状態とし、しかもその初期部分については、回収・廃棄用ケースに接続された形とし、展開することによって展開部分にシート状に展開されて、使用状況を実現するものとする。【０００８】  保存ケース内にこの連続したシートを保管する方法としては、ロール状に巻き取られた形、あるいは折りたたんだ形になっているものとする。【０００９】  使用開始状態は、保存部分がセットされ、展開部分に最初のマットが展開され、なおかつ回収・廃棄部分がセットされた状態になる。【００１０】  回収・廃棄部分の構造としては、ロールが内在されて、これを回転させることによって使用済み部分を回収・廃棄部分に巻き取るということになり、その際、固形排泄物は、巻取り後方の空間に落下し、そこに蓄積されるものとする。【００１１】  回収・廃棄部分のロールの回転の方法としては、外部にとりつけたハンドルを手動で回転させることによって実施しても、あるいはモーターによりそのスイッチを入れることによって回転を発生させて巻き取っても良い。【００１２】  図−１は、本ペット用便器で使用するトイレマットのシートの展開図である。
１の部分は、吸水ポリマーを内在する部分であり、この部分が連続している。マット部分が５乃至１０個程度、連結されたものになっている。【００１３】  図−２−１は、図−１に示したシートがセットされた状態を示しており、２の部分はシートを供給する部分であって、この場合にはシートはロール状に巻かれた状態になっている。３の部分は、使用済みマットを回収する部分であって、この２と３とがセットになって使用者に供給される。４は巻取り用のロールである。【００１４】  図−２−２は、図−１に示したシートがセットされた状態を示しており、図−２−１と同様に２の部分はシートを供給する部分である。この場合はシートは折りたたまれた状態で保管されている。３の部分は図−２−１と同様に使用済みマットを回収する部分であって、やはり２と３がセットとして使用者に供給される。４は巻取りロールである。【００１５】  図−３は、装置の断面図であって、１は吸水ポリマーを内在する部分、２は供給部分、３は回収部分、４は巻き取りロール、５は、図−２−１を本体にセットする場合、及び取り出し時の上げ蓋であって、犬はこの吸水ポリマー部分で排泄を行うことになる。【００１６】  図−４は、使用途中の状態を示す図であって、排泄物が、３の回収部分の空間に排泄物が蓄積されている状況を示している。ここで６は回収された排泄物である。水分については、吸水ポリマーに吸収される。
【発明の効果】
【００１７】  従来は排泄毎にトイレマットを交換する必要があり、その都度廃棄処理の必要があったが、５乃至１０回分をまとめて処理ができることになるので利便性が著しく向上することになる。また、従来交換作業があったものが、回収部分のロールを回転させることによって新しいマット部分がセットできることから利便性が向上した。
【実施例１】
【００１８】  実際にこの装置を使用した結果、その利便性が認識できた。廃棄物として一括処理が可能であって、手間が軽減された。
【図面の簡単な説明】
【００１９】
【図１】  トイレマットを連続させたシートの上から見た図
【図２−１】  シートの供給部と回収部、供給部分がロール状の場合の側面図
【図２−２】  シートの供給部と回収部、供給部分が折りたたみ式の場合の側面図
【図３】  本装置の断面図で、シートがセットされた場合の側面図
【図４】  使用状態の図で、排泄物が空間に入っている状態の側面図
【符号の説明】
【００２４】  １  吸水ポリマーが内在する部分
２  シートの供給部分
３  シートの回収部分
４  シート巻取り用のロール
５  セット時、及び取り出し時用の蓋
６  排泄物
【図１】
2016007211.tif 000003
【図２−１】
2016007211.tif 000004
【図２−２】
2016007211.tif 000005
【図３】
2016007211.tif 000006
【図４】
2016007211.tif 000007